(57)【特許請求の範囲】
【請求項１】
公衆回線網および第２のネットワークに接続され、前記公衆回線網または前記第２のネットワークを介して行われる当該ネットワーク接続装置に付属の電話機と他のネットワーク接続装置に付属の電話機との間の通話接続を制御するネットワーク接続装置であって、
当該ネットワーク接続装置に付属の電話機の電話番号を保存する自分側電話番号記憶手段と、
前記公衆回線網を利用した当該ネットワーク接続装置に付属の電話機によるダイヤル発呼時、または、他のネットワーク接続装置に付属の電話機からの着呼を検出した時に相手側電話機の電話番号を保存する相手側電話番号記憶手段と、
他のネットワーク接続装置に付属の電話機からの着呼を検出したときに、宛先アドレスとして所定の同報通信アドレスと、発信元アドレスとして当該ネットワーク接続装置のネットワークアドレスと、データとして前記自分側電話番号記憶手段および前記相手側電話番号記憶手段に保存された電話番号と、を含む第１データブロックを前記第２のネットワークに対して同報送信する同報送信制御手段と、
前記公衆回線網を利用したダイヤル発呼後に、他のネットワーク接続装置から同報送信される前記第１データブロックを受信して、該第１データブロック内の電話番号と前記自分側電話番号記憶手段および前記相手側電話番号記憶手段に保存された電話番号とをそれぞれ比較する第１受信制御手段と、
前記第１受信制御手段による比較において両者がそれぞれ一致したときに、前記第１データブロック内の発信元アドレスを保存する相手側ネットワークアドレス記憶手段と、
前記第１受信制御手段による比較において両者が一致したときに、宛先アドレスとして前記相手側ネットワークアドレス記憶手段に保存されたアドレスと、発信元アドレスとして当該ネットワーク接続装置のネットワークアドレスと、データとして前記自分側電話番号記憶手段および前記相手側電話番号記憶手段に保存された電話番号と、を含む第２データブロックを前記第２のネットワークに対して送信すると共に、発呼中である公衆回線網を解放する第２送信制御手段と、
前記同報送信制御手段により同報送信した後、または、前記第２送信制御手段により送信した後に、他のネットワーク接続装置から送信されるデータブロックを受信して、該データブロック内の電話番号と前記自分側電話番号記憶手段および前記相手側電話番号記憶手段に保存された電話番号とをそれぞれ比較する第２受信制御手段と、
前記第２受信制御手段による比較において両者がそれぞれ一致したときに、宛先アドレスとして前記相手側ネットワークアドレス記憶手段に保存されたアドレスと、発信元アドレスとして当該ネットワーク接続装置のネットワークアドレスと、データとして前記自分側電話番号記憶手段および前記相手側電話番号記憶手段に保存された電話番号並びに音声データと、を含むデータブロックを前記第２のネットワークに対して送信する第３送信制御手段と、
を有することを特徴とするネットワーク接続装置。
【請求項２】
前記第３送信制御手段が送信するデータブロックは、送信順にふられた番号を含み、
前記ネットワーク接続装置は、
前記第２のネットワークを利用した音声通話時に、一定時間内に受信したデータブロックの連続した番号の個数を計数して、該計数値が所定値を下回るときに、前記公衆回線網を利用した音声通話に切り替える第１切替制御手段を有することを特徴とする請求項１に記載のネットワーク接続装置。
【請求項３】
前記第１切替制御手段により前記第２のネットワークを利用した音声通話から前記公衆回線網を利用した音声通話に切り替えた後に、宛先アドレスとして前記相手側ネットワークアドレス記憶手段に保存されたアドレスと、発信元アドレスとして当該ネットワーク接続装置のネットワークアドレスと、データとして送信順にふられた番号と、を含む第３データブロックを前記第２のネットワークに対して定期的に送信する第４送信制御手段と、
他のネットワーク接続装置の前記第４送信制御手段から定期的に送信される第３データブロックを受信し、一定時間内における該第３データブロックの連続した番号の個数を計数して、該計数値が所定値を上回るときに、前記第２のネットワークを利用した音声通話に切り替える第２切替制御手段と、
を有することを特徴とする請求項２に記載のネットワーク接続装置。
【請求項４】
公衆回線網および第２のネットワークに接続された第１ネットワーク接続装置および第２ネットワーク接続装置と、前記第１ネットワーク接続装置に付属の第１電話機と、前記第２ネットワークに付属の第２電話機と、を備えた通信システムであって、
前記第１ネットワーク接続装置は、
前記第１電話機の電話番号を保存する自分側電話番号記憶手段と、
前記公衆回線網を利用した前記第１電話機によるダイヤル発呼時に相手側電話機の電話番号を保存する相手側電話番号記憶手段と、
前記公衆回線網を利用したダイヤル発呼後に、前記第２ネットワーク接続装置から同報送信される第１データブロックを受信して、該第１データブロック内の電話番号と前記自分側電話番号記憶手段および前記相手側電話番号記憶手段に保存された電話番号とをそれぞれ比較する第１受信制御手段と、
前記第１受信制御手段による比較において両者がそれぞれ一致したときに、前記第１データブロック内の発信元アドレスを保存する相手側ネットワークアドレス記憶手段と、
前記第１受信制御手段による比較において両者が一致したときに、宛先アドレスとして前記相手側ネットワークアドレス記憶手段に保存されたアドレスと、発信元アドレスとして当該第１ネットワーク接続装置のネットワークアドレスと、データとして前記自分側電話番号記憶手段および前記相手側電話番号記憶手段に保存された電話番号と、を含む第２データブロックを前記第２のネットワークに対して送信すると共に、発呼中である公衆回線網を解放する第２送信制御手段と、
前記第２送信制御手段により送信した後に、前記第２ネットワーク接続装置から送信されるデータブロックを受信して、該データブロック内の電話番号と前記自分側電話番号記憶手段および前記相手側電話番号記憶手段に保存された電話番号とをそれぞれ比較する第２受信制御手段と、
前記第２受信制御手段による比較において両者がそれぞれ一致したときに、宛先アドレスとして前記相手側ネットワークアドレス記憶手段に保存されたアドレスと、発信元アドレスとして当該第１ネットワーク接続装置のネットワークアドレスと、データとして前記自分側電話番号記憶手段および前記相手側電話番号記憶手段に保存された電話番号並びに音声データと、を含むデータブロックを前記第２のネットワークに対して送信する第３送信制御手段と、を有し、
前記第２ネットワーク接続装置は、
前記第２電話機の電話番号を保存する自分側電話番号記憶手段と、
第１ネットワーク接続装置に付属の第１電話機からの着呼を検出した時に該第１電話機の電話番号を保存する相手側電話番号記憶手段と、
第１ネットワーク接続装置に付属の第１電話機からの着呼を検出したときに、宛先アドレスとして所定の同報通信アドレスと、発信元アドレスとして当該第２ネットワーク接続装置のネットワークアドレスと、データとして前記自分側電話番号記憶手段および前記相手側電話番号記憶手段に保存された電話番号と、を含む第１データブロックを前記第２のネットワークに対して同報送信する同報送信制御手段と、
前記同報送信制御手段により同報送信した後に、前記第１ネットワーク接続装置から送信されるデータブロックを受信して、該データブロック内の電話番号と前記自分側電話番号記憶手段および前記相手側電話番号記憶手段に保存された電話番号とをそれぞれ比較する第２受信制御手段と、
前記第２受信制御手段による比較において両者がそれぞれ一致したときに、前記データブロック内の発信元アドレスを保存する相手側ネットワークアドレス記憶手段と、
前記第２受信制御手段による比較において両者がそれぞれ一致したときに、宛先アドレスとして前記相手側ネットワークアドレス記憶手段に保存されたアドレスと、発信元アドレスとして当該第２ネットワーク接続装置のネットワークアドレスと、データとして前記自分側電話番号記憶手段および前記相手側電話番号記憶手段に保存された電話番号並びに音声データと、を含むデータブロックを前記第２のネットワークに対して送信する第３送信制御手段と、
を有することを特徴とする通信システム。
【請求項５】
公衆回線網および第２のネットワークに接続された第１ネットワーク接続装置および第２ネットワーク接続装置と、前記第１ネットワーク接続装置に付属の第１電話機と、前記第２ネットワークに付属の第２電話機と、を備えた通信システムの通信方法であって、
前記第１ネットワーク接続装置において、
前記第１電話機の電話番号を保存する自分側電話番号記憶ステップと、
前記公衆回線網を利用した前記第１電話機によるダイヤル発呼時に相手側電話機の電話番号を記憶する相手側電話番号記憶ステップと、
前記公衆回線網を利用したダイヤル発呼後に、前記第２ネットワーク接続装置から同報送信される第１データブロックを受信して、該第１データブロック内の電話番号と前記自分側電話番号記憶ステップおよび前記相手側電話番号記憶ステップで記憶した電話番号とをそれぞれ比較する第１受信制御ステップと、
前記第１受信制御ステップによる比較において両者がそれぞれ一致したときに、前記第１データブロック内の発信元アドレスを記憶する相手側ネットワークアドレス記憶ステップと、
前記第１受信制御ステップによる比較において両者が一致したときに、宛先アドレスとして前記相手側ネットワークアドレス記憶ステップで記憶したアドレスと、発信元アドレスとして当該第１ネットワーク接続装置のネットワークアドレスと、データとして前記自分側電話番号記憶ステップおよび前記相手側電話番号記憶ステップで記憶した電話番号と、を含む第２データブロックを前記第２のネットワークに対して送信すると共に、発呼中である公衆回線網を解放する第２送信制御ステップと、
前記第２送信制御ステップにより送信した後に、前記第２ネットワーク接続装置から送信されるデータブロックを受信して、該データブロック内の電話番号と前記自分側電話番号記憶ステップおよび前記相手側電話番号記憶ステップで記憶した電話番号とをそれぞれ比較する第２受信制御ステップと、
前記第２受信制御ステップによる比較において両者がそれぞれ一致したときに、宛先アドレスとして前記相手側ネットワークアドレス記憶ステップで記憶したアドレスと、発信元アドレスとして当該第１ネットワーク接続装置のネットワークアドレスと、データとして前記自分側電話番号記憶ステップおよび前記相手側電話番号記憶ステップで記憶した電話番号並びに音声データと、を含むデータブロックを前記第２のネットワークに対して送信する第３送信制御ステップと、を有し、
前記第２ネットワーク接続装置において、
前記第２電話機の電話番号を記憶する自分側電話番号記憶ステップと、
第１ネットワーク接続装置に付属の第１電話機からの着呼を検出した時に該第１電話機の電話番号を記憶する相手側電話番号記憶ステップと、
第１ネットワーク接続装置に付属の第１電話機からの着呼を検出したときに、宛先アドレスとして所定の同報通信アドレスと、発信元アドレスとして当該第２ネットワーク接続装置のネットワークアドレスと、データとして前記自分側電話番号記憶ステップおよび前記相手側電話番号記憶ステップで記憶した電話番号と、を含む第１データブロックを前記第２のネットワークに対して同報送信する同報送信制御ステップと、
前記同報送信制御ステップにより同報送信した後に、前記第１ネットワーク接続装置から送信されるデータブロックを受信して、該データブロック内の電話番号と前記自分側電話番号記憶ステップおよび前記相手側電話番号記憶ステップで記憶した電話番号とをそれぞれ比較する第２受信制御ステップと、
前記第２受信制御ステップによる比較において両者がそれぞれ一致したときに、前記データブロック内の発信元アドレスを記憶する相手側ネットワークアドレス記憶ステップと、
前記第２受信制御ステップによる比較において両者がそれぞれ一致したときに、宛先アドレスとして前記相手側ネットワークアドレス記憶ステップで記憶したアドレスと、発信元アドレスとして当該第２ネットワーク接続装置のネットワークアドレスと、データとして前記自分側電話番号記憶ステップおよび前記相手側電話番号記憶ステップで記憶した電話番号並びに音声データと、を含むデータブロックを前記第２のネットワークに対して送信する第３送信制御ステップと、
を有することを特徴とする通信方法。
【請求項６】
請求項５に記載の通信方法をコンピュータに実行させるためのプログラム。
【請求項７】
請求項５に記載の通信方法をコンピュータに実行させるためのプログラムとして記録したコンピュータにより読み取り可能な記録媒体。
【発明の詳細な説明】
【０００１】
【発明の属する技術分野】
本発明は、ネットワーク接続装置、通信システム、通信方法、該通信方法を実行させるための通信プログラムおよび該通信プログラムを記録した記録媒体に係り、特に、より簡易な手段構成で通信コストの低いインターネット電話システムの構築が可能で、通話時の音声品質の維持を可能としたネットワーク接続装置、通信システム、通信方法、通信プログラムおよび記録媒体に関する。
【０００２】
【従来の技術】
近年のインターネット応用技術の進展に伴い、アナログの音声をディジタルのネットワーク上に通すインターネット電話（インターネットフォン；ＩＰ電話）というアプリケーションが提案されている。このインターネット電話は、音声をディジタルデータに変換した後、インターネットやイントラネットを介してインターネットプロトコル（ＩＰ）で送受信するものである。
【０００３】
インターネット電話は、ＩＰネットワーク上に音声を通すためのＶｏＩＰ（voice over IP）技術をベースとして、パソコンや電話機からインターネットやＬＡＮを経由して通話できるようにしたアプリケーションであり、データと音声のトラフィックをＩＰで統合したり、海外など遠距離にある拠点への中継回線をインターネットで代替したりすることで、通信料金を抑えることができる。
【０００４】
基本的なインターネット電話の通信形態には、大きく分けて、（１）ＩＰネットワークだけで実現する通信と、（２）ＩＰネットワークと加入電話網を相互接続した通信、の２種類がある。
【０００５】
（１）の主な利用形態の１つが「PC-to-PC型」であり、ユーザ同士がパソコンのクライアントソフトを用いてインターネット経由で会話できるものである。また、発信側、着信側共に通常の電話機を利用する「Phone-to-Phone型」もあり、例えば複数ある拠点からインターネットに接続して、各拠点に設置したＶｏＩＰゲートウエイ経由で通話するケース等である。さらに、ユーザがパソコンからインターネットを介して電話機にかける「PC-to-Phone型」もある。
【０００６】
一方、（２）の通信形態には、「PC-to-Phone型」や「Phone-to-Phone型」があり、何れもＩＰネットワークと加入電話網とのゲートウエイ装置を介した通信になる。これを応用したのが、通信事業者が提供しているインターネット電話サービスであり、ユーザが発信側と着信側共に加入電話網経由でインターネットに接続して、ゲートウエイ装置経由で通話するものである。
【０００７】
インターネット電話を実現する主な要素技術には、アナログの音声をディジタルデータに変換する符号化技術や、そのデータをＩＰパケットに乗せてインターネットに送り出すパケット化技術、ＩＰアドレスを使って相手と仮想的な通話回線を確立する呼制御技術等があり、これらをまとめて標準化した仕様がＨ．３２３プロトコルである。
【０００８】
インターネット電話で固有の電話に近い操作性や利便性を実現するために呼制御技術が必要となる。小規模のインターネット電話では、一般に、ＶｏＩＰゲートウエイやクライアントが電話番号とＩＰアドレスの対応表を保持して、相手先の電話番号とＩＰアドレスを変換している。つまり、発信側の電話機で電話番号をダイヤルすると、ＶｏＩＰゲートウエイが自動的に相手先がつながるＶｏＩＰゲートウエイのＩＰアドレス宛に回線を接続する。一方、クライアント数が多い企業やプロバイダのインターネット電話サービスの場合には、ゲートキーパーを設置して、一元的な電話番号とＩＰアドレスの管理・運用がなされている。
【０００９】
【発明が解決しようとする課題】
しかしながら、上記従来のインターネット電話にあっては、インターネット電話システムを実現するためには、ＶｏＩＰゲートウエイやゲートキーパー等の装置の設置が必要であり、より低コストでインターネット電話システムの構築を可能とする手段が望まれていた。
【００１０】
また、パケット交換網で音声を送る場合の最大の問題は、ストアアンドフォワードされながら転送されてくるパケットの遅延時間とそのばらつきであり、インターネットの中継線の速度の高速化によってパケットの遅延時間が小さくなり、近年のＶｏＩＰ実用化に貢献してきたという経緯があるにせよ、状況によって会話が途切れたり、欠落したり、音声品質が低下するという事情は未だに未解決課題である。
【００１１】
本発明は、上記従来の事情に鑑みてなされたものであって、より簡易な手段構成でインターネット電話システムの構築が可能で、通話時の音声品質の維持を可能としたネットワーク接続装置、通信システム、通信方法、通信プログラムおよび記録媒体を提供することを目的としている。
【００１２】
【課題を解決するための手段】
上記課題を解決するために、本発明の請求項１に係るネットワーク接続装置は、公衆回線網および第２のネットワークに接続され、前記公衆回線網または前記第２のネットワークを介して行われる当該ネットワーク接続装置に付属の電話機と他のネットワーク接続装置に付属の電話機との間の通話接続を制御するネットワーク接続装置であって、当該ネットワーク接続装置に付属の電話機の電話番号を保存する自分側電話番号記憶手段と、前記公衆回線網を利用した当該ネットワーク接続装置に付属の電話機によるダイヤル発呼時、または、他のネットワーク接続装置に付属の電話機からの着呼を検出した時に相手側電話機の電話番号を保存する相手側電話番号記憶手段と、他のネットワーク接続装置に付属の電話機からの着呼を検出したときに、宛先アドレスとして所定の同報通信アドレスと、発信元アドレスとして当該ネットワーク接続装置のネットワークアドレスと、データとして前記自分側電話番号記憶手段および前記相手側電話番号記憶手段に保存された電話番号と、を含む第１データブロックを前記第２のネットワークに対して同報送信する同報送信制御手段と、前記公衆回線網を利用したダイヤル発呼後に、他のネットワーク接続装置から同報送信される前記第１データブロックを受信して、該第１データブロック内の電話番号と前記自分側電話番号記憶手段および前記相手側電話番号記憶手段に保存された電話番号とをそれぞれ比較する第１受信制御手段と、前記第１受信制御手段による比較において両者がそれぞれ一致したときに、前記第１データブロック内の発信元アドレスを保存する相手側ネットワークアドレス記憶手段と、前記第１受信制御手段による比較において両者が一致したときに、宛先アドレスとして前記相手側ネットワークアドレス記憶手段に保存されたアドレスと、発信元アドレスとして当該ネットワーク接続装置のネットワークアドレスと、データとして前記自分側電話番号記憶手段および前記相手側電話番号記憶手段に保存された電話番号と、を含む第２データブロックを前記第２のネットワークに対して送信すると共に、発呼中である公衆回線網を解放する第２送信制御手段と、前記同報送信制御手段により同報送信した後、または、前記第２送信制御手段により送信した後に、他のネットワーク接続装置から送信されるデータブロックを受信して、該データブロック内の電話番号と前記自分側電話番号記憶手段および前記相手側電話番号記憶手段に保存された電話番号とをそれぞれ比較する第２受信制御手段と、前記第２受信制御手段による比較において両者がそれぞれ一致したときに、宛先アドレスとして前記相手側ネットワークアドレス記憶手段に保存されたアドレスと、発信元アドレスとして当該ネットワーク接続装置のネットワークアドレスと、データとして前記自分側電話番号記憶手段および前記相手側電話番号記憶手段に保存された電話番号並びに音声データと、を含むデータブロックを前記第２のネットワークに対して送信する第３送信制御手段とを具備したものである。
【００１３】
また、請求項２に係るネットワーク接続装置は、請求項１に記載のネットワーク接続装置において、前記第３送信制御手段が送信するデータブロックは、送信順にふられた番号を含み、前記ネットワーク接続装置は、前記第２のネットワークを利用した音声通話時に、一定時間内に受信したデータブロックの連続した番号の個数を計数して、該計数値が所定値を下回るときに、前記公衆回線網を利用した音声通話に切り替える第１切替制御手段を具備したものである。
【００１４】
また、請求項３に係るネットワーク接続装置は、請求項２に記載のネットワーク接続装置において、前記第１切替制御手段により前記第２のネットワークを利用した音声通話から前記公衆回線網を利用した音声通話に切り替えた後に、宛先アドレスとして前記相手側ネットワークアドレス記憶手段に保存されたアドレスと、発信元アドレスとして当該ネットワーク接続装置のネットワークアドレスと、データとして送信順にふられた番号と、を含む第３データブロックを前記第２のネットワークに対して定期的に送信する第４送信制御手段と、他のネットワーク接続装置の前記第４送信制御手段から定期的に送信される第３データブロックを受信し、一定時間内における該第３データブロックの連続した番号の個数を計数して、該計数値が所定値を上回るときに、前記第２のネットワークを利用した音声通話に切り替える第２切替制御手段とを具備したものである。
【００１５】
また、請求項４に係る通信システムは、公衆回線網および第２のネットワークに接続された第１ネットワーク接続装置および第２ネットワーク接続装置と、前記第１ネットワーク接続装置に付属の第１電話機と、前記第２ネットワークに付属の第２電話機と、を備えた通信システムであって、前記第１ネットワーク接続装置は、前記第１電話機の電話番号を保存する自分側電話番号記憶手段と、前記公衆回線網を利用した前記第１電話機によるダイヤル発呼時に相手側電話機の電話番号を保存する相手側電話番号記憶手段と、前記公衆回線網を利用したダイヤル発呼後に、前記第２ネットワーク接続装置から同報送信される第１データブロックを受信して、該第１データブロック内の電話番号と前記自分側電話番号記憶手段および前記相手側電話番号記憶手段に保存された電話番号とをそれぞれ比較する第１受信制御手段と、前記第１受信制御手段による比較において両者がそれぞれ一致したときに、前記第１データブロック内の発信元アドレスを保存する相手側ネットワークアドレス記憶手段と、前記第１受信制御手段による比較において両者が一致したときに、宛先アドレスとして前記相手側ネットワークアドレス記憶手段に保存されたアドレスと、発信元アドレスとして当該第１ネットワーク接続装置のネットワークアドレスと、データとして前記自分側電話番号記憶手段および前記相手側電話番号記憶手段に保存された電話番号と、を含む第２データブロックを前記第２のネットワークに対して送信すると共に、発呼中である公衆回線網を解放する第２送信制御手段と、前記第２送信制御手段により送信した後に、前記第２ネットワーク接続装置から送信されるデータブロックを受信して、該データブロック内の電話番号と前記自分側電話番号記憶手段および前記相手側電話番号記憶手段に保存された電話番号とをそれぞれ比較する第２受信制御手段と、前記第２受信制御手段による比較において両者がそれぞれ一致したときに、宛先アドレスとして前記相手側ネットワークアドレス記憶手段に保存されたアドレスと、発信元アドレスとして当該第１ネットワーク接続装置のネットワークアドレスと、データとして前記自分側電話番号記憶手段および前記相手側電話番号記憶手段に保存された電話番号並びに音声データと、を含むデータブロックを前記第２のネットワークに対して送信する第３送信制御手段とを具備し、前記第２ネットワーク接続装置は、前記第２電話機の電話番号を保存する自分側電話番号記憶手段と、第１ネットワーク接続装置に付属の第１電話機からの着呼を検出した時に該第１電話機の電話番号を保存する相手側電話番号記憶手段と、第１ネットワーク接続装置に付属の第１電話機からの着呼を検出したときに、宛先アドレスとして所定の同報通信アドレスと、発信元アドレスとして当該第２ネットワーク接続装置のネットワークアドレスと、データとして前記自分側電話番号記憶手段および前記相手側電話番号記憶手段に保存された電話番号と、を含む第１データブロックを前記第２のネットワークに対して同報送信する同報送信制御手段と、前記同報送信制御手段により同報送信した後に、前記第１ネットワーク接続装置から送信されるデータブロックを受信して、該データブロック内の電話番号と前記自分側電話番号記憶手段および前記相手側電話番号記憶手段に保存された電話番号とをそれぞれ比較する第２受信制御手段と、前記第２受信制御手段による比較において両者がそれぞれ一致したときに、前記データブロック内の発信元アドレスを保存する相手側ネットワークアドレス記憶手段と、前記第２受信制御手段による比較において両者がそれぞれ一致したときに、宛先アドレスとして前記相手側ネットワークアドレス記憶手段に保存されたアドレスと、発信元アドレスとして当該第２ネットワーク接続装置のネットワークアドレスと、データとして前記自分側電話番号記憶手段および前記相手側電話番号記憶手段に保存された電話番号並びに音声データと、を含むデータブロックを前記第２のネットワークに対して送信する第３送信制御手段とを具備したものである。
【００１６】
また、請求項５に係る通信方法は、公衆回線網および第２のネットワークに接続された第１ネットワーク接続装置および第２ネットワーク接続装置と、前記第１ネットワーク接続装置に付属の第１電話機と、前記第２ネットワークに付属の第２電話機と、を備えた通信システムの通信方法であって、前記第１ネットワーク接続装置において、前記第１電話機の電話番号を保存する自分側電話番号記憶ステップと、前記公衆回線網を利用した前記第１電話機によるダイヤル発呼時に相手側電話機の電話番号を記憶する相手側電話番号記憶ステップと、前記公衆回線網を利用したダイヤル発呼後に、前記第２ネットワーク接続装置から同報送信される第１データブロックを受信して、該第１データブロック内の電話番号と前記自分側電話番号記憶ステップおよび前記相手側電話番号記憶ステップで記憶した電話番号とをそれぞれ比較する第１受信制御ステップと、前記第１受信制御ステップによる比較において両者がそれぞれ一致したときに、前記第１データブロック内の発信元アドレスを記憶する相手側ネットワークアドレス記憶ステップと、前記第１受信制御ステップによる比較において両者が一致したときに、宛先アドレスとして前記相手側ネットワークアドレス記憶ステップで記憶したアドレスと、発信元アドレスとして当該第１ネットワーク接続装置のネットワークアドレスと、データとして前記自分側電話番号記憶ステップおよび前記相手側電話番号記憶ステップで記憶した電話番号と、を含む第２データブロックを前記第２のネットワークに対して送信すると共に、発呼中である公衆回線網を解放する第２送信制御ステップと、前記第２送信制御ステップにより送信した後に、前記第２ネットワーク接続装置から送信されるデータブロックを受信して、該データブロック内の電話番号と前記自分側電話番号記憶ステップおよび前記相手側電話番号記憶ステップで記憶した電話番号とをそれぞれ比較する第２受信制御ステップと、前記第２受信制御ステップによる比較において両者がそれぞれ一致したときに、宛先アドレスとして前記相手側ネットワークアドレス記憶ステップで記憶したアドレスと、発信元アドレスとして当該第１ネットワーク接続装置のネットワークアドレスと、データとして前記自分側電話番号記憶ステップおよび前記相手側電話番号記憶ステップで記憶した電話番号並びに音声データと、を含むデータブロックを前記第２のネットワークに対して送信する第３送信制御ステップとを具備し、前記第２ネットワーク接続装置において、前記第２電話機の電話番号を記憶する自分側電話番号記憶ステップと、第１ネットワーク接続装置に付属の第１電話機からの着呼を検出した時に該第１電話機の電話番号を記憶する相手側電話番号記憶ステップと、第１ネットワーク接続装置に付属の第１電話機からの着呼を検出したときに、宛先アドレスとして所定の同報通信アドレスと、発信元アドレスとして当該第２ネットワーク接続装置のネットワークアドレスと、データとして前記自分側電話番号記憶ステップおよび前記相手側電話番号記憶ステップで記憶した電話番号と、を含む第１データブロックを前記第２のネットワークに対して同報送信する同報送信制御ステップと、前記同報送信制御ステップにより同報送信した後に、前記第１ネットワーク接続装置から送信されるデータブロックを受信して、該データブロック内の電話番号と前記自分側電話番号記憶ステップおよび前記相手側電話番号記憶ステップで記憶した電話番号とをそれぞれ比較する第２受信制御ステップと、前記第２受信制御ステップによる比較において両者がそれぞれ一致したときに、前記データブロック内の発信元アドレスを記憶する相手側ネットワークアドレス記憶ステップと、前記第２受信制御ステップによる比較において両者がそれぞれ一致したときに、宛先アドレスとして前記相手側ネットワークアドレス記憶ステップで記憶したアドレスと、発信元アドレスとして当該第２ネットワーク接続装置のネットワークアドレスと、データとして前記自分側電話番号記憶ステップおよび前記相手側電話番号記憶ステップで記憶した電話番号並びに音声データと、を含むデータブロックを前記第２のネットワークに対して送信する第３送信制御ステップとを具備したものである。
【００１７】
また、請求項６に係る通信プログラムは、請求項５に記載の通信方法をコンピュータに実行させるためのプログラムである。
【００１８】
さらに、請求項７に係るコンピュータにより読み取り可能な記録媒体は、請求項５に記載の通信方法をコンピュータに実行させるためのプログラムとして記録したものである。
【００１９】
本発明の請求項１に係るネットワーク接続装置、請求項４に係る通信システム、請求項５に係る通信方法、請求項６に係る通信プログラムおよび請求項７に係る記録媒体では、（第１）ネットワーク接続装置において、自分側電話番号記憶手段に（自分側電話番号記憶ステップにより）付属の（第１）電話機の電話番号を記憶しておき、また、公衆回線網を利用した付属の（第１）電話機によるダイヤル発呼時には、相手側電話番号記憶手段に（相手側電話番号記憶ステップにより）相手側（第２）電話機の電話番号を保存する。一方、他の（第２）ネットワーク接続装置でも、自分側電話番号記憶手段に（自分側電話番号記憶ステップにより）付属の（第２）電話機の電話番号を記憶しておき、（第１）ネットワーク接続装置に付属の（第１）電話機からの着呼を検出した時には、相手側電話番号記憶手段に（相手側電話番号記憶ステップにより）（第１）電話機の電話番号を保存し、また、同報送信制御手段（同報送信制御ステップ）により、宛先アドレスとして所定の同報通信アドレスと、発信元アドレスとして当該（第２）ネットワーク接続装置のネットワークアドレスと、データとして自分側電話番号記憶手段および相手側電話番号記憶手段に保存された電話番号と、を含む第１データブロックを第２のネットワークに対して同報送信する。
【００２０】
次に、（第１）ネットワーク接続装置では、公衆回線網を利用したダイヤル発呼後に、第１受信制御手段（第１受信制御ステップ）により、他の（第２）ネットワーク接続装置から同報送信される第１データブロックを受信して、該第１データブロック内の電話番号と自分側電話番号記憶手段および相手側電話番号記憶手段に保存された電話番号とをそれぞれ比較し、該比較において両者がそれぞれ一致したときに、相手側ネットワークアドレス記憶手段に（相手側ネットワークアドレス記憶ステップにより）第１データブロック内の発信元アドレスを保存する。また、第１受信制御手段（第１受信制御ステップ）による比較において両者が一致したときには、第２送信制御手段（第２送信制御ステップ）により、宛先アドレスとして相手側ネットワークアドレス記憶手段に保存されたアドレスと、発信元アドレスとして当該（第１）ネットワーク接続装置のネットワークアドレスと、データとして自分側電話番号記憶手段および相手側電話番号記憶手段に保存された電話番号と、を含む第２データブロックを第２のネットワークに対して送信すると共に、発呼中である公衆回線網を解放する。
【００２１】
次に、他の（第２）ネットワーク接続装置では同報送信制御手段（同報送信制御ステップ）により同報送信した後に、（第１）ネットワーク接続装置では第２送信制御手段（第２送信制御ステップ）により送信した後に、それぞれ、第２受信制御手段（第２受信制御ステップ）により、相手のネットワーク接続装置から送信されるデータブロックを受信して、該データブロック内の電話番号と自分側電話番号記憶手段および相手側電話番号記憶手段に保存された電話番号とをそれぞれ比較し、該比較において両者がそれぞれ一致したときに、第３送信制御手段（第３送信制御ステップ）により、宛先アドレスとして相手側ネットワークアドレス記憶手段に保存されたアドレスと、発信元アドレスとして当該他の（第２）ネットワーク接続装置または（第１）ネットワーク接続装置のネットワークアドレスと、データとして自分側電話番号記憶手段および相手側電話番号記憶手段に保存された電話番号並びに音声データと、を含むデータブロックを第２のネットワークに対して送信する。なお、他の（第２）ネットワーク接続装置では、第２受信制御手段（第２受信制御ステップ）による比較において両者が一致したときには、相手側ネットワークアドレス記憶手段に（相手側ネットワークアドレス記憶ステップにより）データブロック内の発信元アドレスを保存しておく。
【００２２】
以降は、第２受信制御手段（第２受信制御ステップ）により受信したデータブロック内の電話番号を確認しながら、第３送信制御手段（第３送信制御ステップ）によりデータブロックを送信することにより、第２のネットワークによる音声通話が行われることになる。ここで、第２のネットワークとしては、ＬＡＮ，ＷＡＮ，ＡＴＭネットワーク，インターネット等々が該当し、（第１）ネットワーク接続装置および他の（第２）ネットワーク接続装置には、該第２のネットワークにおけるネットワークアドレスが割り振られているものとする。また、データブロックは、パケット、フレーム、セル等であり、例えば、ＡＴＭネットワークではセルが用いられ、インターネットではＩＰパケットが用いられる。
【００２３】
例えば、第２のネットワークをインターネットとした場合には、ＴＣＰ／ＩＰプロトコルを用いたｘＤＳＬ通信によりＩＰパケットを送受信してインターネットを介した音声通話を行い、インターネット電話システムを実現することになる。従来、通信コストをより低減できるインターネット電話システムを構築するためには、ＶｏＩＰゲートウエイやゲートキーパー等の装置の設置が必要であったが、本発明ではこれら装置が不要であり、より簡単な手段構成で低コストのインターネット電話システムの構築が可能となる。
【００２４】
また、請求項２に係るネットワーク接続装置では、第３送信制御手段が送信するデータブロックには送信順にふられた番号が含まれており、（第１）ネットワーク接続装置または他の（第２）ネットワーク接続装置において、第２のネットワークを利用した音声通話を行っている時に、第１切替制御手段により、一定時間内に受信したデータブロックの連続した番号の個数を計数して、該計数値が所定値を下回るときに、公衆回線網を利用した音声通話に切り替えるようにしている。
【００２５】
このように、第２のネットワークを利用した音声通話において、音声品質が劣化したことを一定時間内の受信データブロック数により判断し、音声品質が劣化したときには、自動的に公衆回線網を利用した音声通話に切り替えるので、状況によって会話が途切れたり、欠落するなど、音声品質が低下した場合でも、公衆回線網を利用した通常の音声通話に切り替えて、通話時の音声品質を維持することができる。
【００２６】
また、請求項３に係るネットワーク接続装置では、（第１）ネットワーク接続装置または他の（第２）ネットワーク接続装置において、第１切替制御手段により第２のネットワークを利用した音声通話から公衆回線網を利用した音声通話に切り替えた後に、第４送信制御手段により、宛先アドレスとして相手側ネットワークアドレス記憶手段に保存されたアドレスと、発信元アドレスとして当該（第１）ネットワーク接続装置または当該他の（第２）ネットワーク接続装置のネットワークアドレスと、データとして送信順にふられた番号と、を含む第３データブロックを第２のネットワークに対して定期的に送信するようにし、他の（第２）ネットワーク接続装置または（第１）ネットワーク接続装置では、第２切替制御手段により、相手側のネットワーク接続装置の第４送信制御手段により定期的に送信される第３データブロックを受信し、一定時間内における該第３データブロックの連続した番号の個数を計数して、該計数値が所定値を上回るときに、第２のネットワークを利用した音声通話に切り替えるようにしている。
【００２７】
このように、公衆回線網を利用した音声通話に切り替えた後にも定期的に品質検査用のデータブロックを送受信して、第２のネットワークにおける音声品質が改善したことを一定時間内の受信データブロック数により判断し、音声品質が改善したときには、自動的に第２のネットワークを利用した音声通話に切り替えるので、通話時の音声品質を維持しつつ、より通信コストの低い第２のネットワークを利用した音声通話を優先的に行うことができる。
【００２８】
【発明の実施の形態】
以下、本発明のネットワーク接続装置、通信システム、通信方法、通信プログラムおよび記録媒体の実施の形態について、図面を参照して詳細に説明する。なお、それぞれの実施形態の説明では、本発明に係るネットワーク接続装置、通信システムおよび通信方法について詳述するが、本発明に係る通信プログラムについては通信方法を実行させるためのプログラムであり、また本発明に係る記録媒体については、通信方法を実行させるためのプログラムを記録した記録媒体であることから、その説明は以下の通信方法の説明に含まれるものである。
【００２９】
図１は本発明の一実施形態に係る通信システムの構成図であり、本発明のネットワーク接続装置を適用したものである。また、図２は本発明の一実施形態に係るネットワーク接続装置の構成図である。
【００３０】
まず図１において、本実施形態の通信システムは、公衆電話回線網１０７と、第２のネットワークとしてのインターネット１０５と、通話を行うための音声入出力手段としての第１アナログ電話機１０１Ｓおよび第２アナログ電話機１０１Ｒと、第１アナログ電話機１０１Ｓを公衆電話回線網１０７およびインターネット１０５に接続する第１インターネット接続装置１０３Ｓと、第２アナログ電話機１０１Ｒを公衆電話回線網１０７およびインターネット１０５に接続する第２インターネット接続装置１０３Ｒとを備えた構成である。
【００３１】
なお、第１インターネット接続装置１０３Ｓと第２インターネット接続装置１０３Ｒとは同一の構成を持つものであるが、以下の説明では、説明を分りやすくするために、特に断らない限り、第１アナログ電話機１０１Ｓ（第１インターネット接続装置１０３Ｓ）を発信側とし、第２アナログ電話機１０１Ｒ（第２インターネット接続装置１０３Ｒ）を着信側として説明を行う。
【００３２】
また図２において、本実施形態のネットワーク接続装置、即ち第１インターネット接続装置１０３Ｓまたは第２インターネット接続装置１０３Ｒは、アナログ電話インタフェース部２０１、ｘＤＳＬモデムインタフェース部２０３、公衆回線網インタフェース部２０５、Ａ／Ｄ・Ｄ／Ａ音声処理部２０７、ＩＰパケット処理部２０９、インターネット通話品質検査部２１１、ＤＴＭＦ信号検知・生成／モデム信号復調部２１３、タイマ部２１５、自分側ＩＰアドレス記憶部２１７、相手側ＩＰアドレス記憶部２１９、自分側電話番号記憶部２２１、相手側電話番号記憶部２２３および全体制御部２２５を備えて構成されている。
【００３３】
なお、以下では、各構成要素の機能的説明を、第１アナログ電話機１０１Ｓと接続している第１インターネット接続装置１０３Ｓについて説明するが、第２インターネット接続装置１０３Ｒについても同様である。
【００３４】
まず、アナログ電話インタフェース部２０１は、第１インターネット接続装置１０３Ｓと第１アナログ電話機１０１Ｓとのインタフェースを司る。また、ｘＤＳＬモデムインタフェース部２０３は、インターネット１０５接続用に外部に設置されているｘＤＳＬモデムとのインタフェースを司る。また、公衆回線網インタフェース部２０５は、公衆電話回線網１０７とのインタフェースを司る。なお、ｘＤＳＬモデムインタフェース部２０３の「ｘＤＳＬ；x Digital Subscriber Line」は、電話用銅線ケーブル（加入者線）を使う高速ディジタル伝送方式の総称を言い、例えば、ＨＤＳＬ（High bit rate DSL），ＳＤＳＬ（Symmetric DSL），ＡＤＳＬ（Asymmetric DSL），ＶＤＳＬ（Very high bit rate DSL）等々が該当する。また、ｘＤＳＬでは、数ＭＨｚの高周波数帯域まで使ってデータを伝送するため、ｘＤＳＬモデムを介在して高速通信が実現されることになる。
【００３５】
次に、Ａ／Ｄ・Ｄ／Ａ音声処理部２０７は、第１アナログ電話機１０１Ｓからのアナログ音声信号をＡ／Ｄ変換した後に圧縮された音声信号データに変換し、また、ＩＰパケット内の音声信号データを伸長して元のアナログ音声信号にＤ／Ａ変換する。
【００３６】
また、ＩＰパケット処理部２０９は、Ａ／Ｄ・Ｄ／Ａ音声処理部２０７から受け取った圧縮音声信号データをＩＰパケットに組み込んで、ｘＤＳＬモデムインタフェース部２０３を介してインターネット１０５に送出し、また、ｘＤＳＬモデムインタフェース部２０３で受信したインターネット１０５からのＩＰパケットを分解して音声信号データを抜き出してＡ／Ｄ・Ｄ／Ａ音声処理部２０７に渡す。
【００３７】
また、タイマ部２１５は一定時間を計測するものであり、インターネット通話品質検査部２１１は、タイマ部２１５が計測する一定時間間隔内に当該第１インターネット接続装置１０３Ｓが受信したＩＰパケットの連続する番号の個数を計数して、インターネット１０５を介した音声通話についての音声品質を判断する。なお、インターネット１０５を介した音声通話時には、ＩＰパケット処理部２０９において、音声信号をＩＰパケット化する際に、ＩＰパケットに対して送信する順に番号が付されており、インターネット通話品質検査部２１１ではこの番号に基づき判断することになる。すなわち、一定時間間隔内に受信したＩＰパケットの連続する番号の個数が所定数よりも下回るときには音声品質が劣化したと判断し、所定数よりも上回るときには音声品質が回復したと判断する。
【００３８】
また、ＤＴＭＦ信号検知・生成／モデム信号復調部２１３は、アナログ電話インタフェース部２０１を介して第１アナログ電話機１０１Ｓから送られて来るＤＴＭＦ（Dual Tone Multi-Frequency）信号、または公衆回線網インタフェース部２０５を介して公衆電話回線網１０７から送られて来るモデム信号を復調する。発呼時には着信側電話番号（即ち、第２アナログ電話機１０１Ｒの電話番号）を認識し、着呼時には発信側電話番号（即ち、第１アナログ電話機１０１Ｓの電話番号）を認識する。
【００３９】
さらに、自分側ＩＰアドレス記憶部２１７には、当該第１インターネット接続装置１０３ＳのＩＰアドレスが予め記憶されており、自分側電話番号記憶部２２１には、当該第１インターネット接続装置１０３Ｓに接続されている第１アナログ電話機１０１Ｓの電話番号が予め記憶されている。また、相手側電話番号記憶部２２３には、公衆電話回線網１０７を介して他のアナログ電話機からの着呼があったときに該呼を発呼したアナログ電話機の電話番号が記憶される。さらに、相手側ＩＰアドレス記憶部２１９には、インターネット１０５を介して他のインターネット接続装置からのＩＰパケットを受信したときに該ＩＰパケットを送信したインターネット接続装置のＩＰアドレスが記憶される。
【００４０】
なお、特許請求の範囲にいう同報送信制御手段、第１受信制御手段、第２送信制御手段、第２受信制御手段および第３送信制御手段は、ｘＤＳＬモデムインタフェース部２０３、ＩＰパケット処理部２０９および全体制御部２２５で実現され、第１切替制御手段、第４送信制御手段および第２切替制御手段は、ｘＤＳＬモデムインタフェース部２０３、ＩＰパケット処理部２０９、インターネット通話品質検査部２１１、タイマ部２１５および全体制御部２２５で実現されている。
【００４１】
次に、以上の構成要素を備えたインターネット接続装置（図１における第１インターネット接続装置１０３Ｓおよび第２インターネット接続装置１０３Ｒ）に接続されたアナログ電話機（図１における第１アナログ電話機１０１Ｓおよび第２アナログ電話機１０１Ｒ）間で通話を行う際の通信方法について、図３乃至図９を参照して詳細に説明する。
【００４２】
ここで、図３乃至図９は通信方法をシーケンスにより説明する説明図であり、図３はインターネット１０５を介した通話の確立までを説明する説明図、図４はインターネット１０５を介した音声通話を説明する説明図、図５はインターネット１０５を介した音声通話の切断までを説明する説明図、図６は発信側主導でインターネット１０５を介した音声通話から公衆電話回線網１０７を介した通常通話への切換を説明する説明図、図７は発信側主導で公衆電話回線網１０７を介した通常通話からインターネット１０５を介した音声通話への切換を説明する説明図、図８は着信側主導でインターネット１０５を介した音声通話から公衆電話回線網１０７を介した通常通話への切換を説明する説明図、図９は着信側主導で公衆電話回線網１０７を介した通常通話からインターネット１０５を介した音声通話への切換を説明する説明図である。
【００４３】
まず、図３を参照して、インターネット１０５を介した通話の確立までの手順について説明する。ステップＳ３０１で、第１アナログ電話機１０１Ｓから着信側電話番号（第２アナログ電話機１０１Ｒの電話番号）をダイヤルする。なお、ここではダイヤル信号をプッシュボタン式トーン信号（ＤＴＭＦ信号）と想定している。
【００４４】
次に、ステップＳ３０２では、第１インターネット接続装置１０３Ｓにおいて、第１アナログ電話機１０１Ｓからの発呼を受けて、公衆電話回線網１０７に対して着信側電話番号をダイヤルする。具体的には、アナログ電話インタフェース部２０１を介して受けたダイヤル信号からＤＴＭＦ信号検知・生成／モデム信号復調部２１３が着信側電話番号を認識し、該着信側電話番号を全体制御部２２５の制御の下に相手側電話番号記憶部２２３に保存すると共に、ダイヤル信号を公衆回線網インタフェース部２０５を介して公衆電話回線網１０７に対して送出する。
【００４５】
次に、ステップＳ３０３では、公衆電話回線網１０７から発信側の第１インターネット接続装置１０３Ｓに対して呼出音が送出され、ステップＳ３０４で、第１インターネット接続装置１０３Ｓは、第１アナログ電話機１０１Ｓに対して公衆電話回線網１０７からの呼出音を送出する。つまり、第１インターネット接続装置１０３Ｓの公衆回線網インタフェース２０５、ＤＴＭＦ信号検知・生成／モデム信号復調部２１３およびアナログ電話インタフェース部２０１を介して、呼出音が第１アナログ電話機１０１Ｓに伝送され、第１アナログ電話機１０１Ｓの受話口から呼出音が聞こえることになる。
【００４６】
また、ステップＳ３０５では、公衆電話回線網１０７を経てモデム信号が着信側の第２インターネット接続装置１０３Ｒに着呼する。この時、第２インターネット接続装置１０３Ｒでは、公衆電話回線網１０７からのモデム信号を公衆回線網インタフェース部２０５を介して受け取り、ＤＴＭＦ信号検知・生成／モデム信号復調部２１３でモデム信号を復調して発信側の電話番号を認識し、全体制御部２２５の制御の下に相手側電話番号記憶部２２３に保存する。
【００４７】
次に、ステップＳ３０６では、第２インターネット接続装置１０３Ｒにおいて、公衆電話回線網１０７からの呼出信号を、公衆回線網インタフェース２０５、ＤＴＭＦ信号検知・生成／モデム信号復調部２１３およびアナログ電話インタフェース部２０１を介して、そのまま呼出信号として第２アナログ電話機１０１Ｒに送信する。これにより、第２アナログ電話機１０１Ｒのスピーカから呼出音が鳴ることになる。
【００４８】
また、第２インターネット接続装置１０３Ｒでは、ステップＳ３０７において、ＩＰパケット処理部２０９により、宛先アドレスとして予め決められたマルチキャストアドレス、発信元アドレスとして着信側の第２インターネット接続装置１０３ＲのＩＰアドレス、並びに、ＩＰパケットデータとして発信側電話番号および着信側電話番号をＩＰパケット化して、該ＩＰパケットをｘＤＳＬモデムインタフェース部２０３を介してインターネット１０５に送出する。このステップＳ３０７が特許請求の範囲にいう同報送信制御手段の機能であり、同報送信制御ステップに該当する。
【００４９】
ここで、マルチキャストアドレスは、インターネット１０５に接続されているインターネット接続装置群の中で予め設定された１群のＩＰアドレスを持つインターネット接続装置に対して同報送信するためのアドレスを言い、図２では図示しない他の記憶部に保存されている。また、着信側ＩＰアドレスは自分側ＩＰアドレス記憶部２１７に、発信側電話番号は相手側電話番号記憶部２２３に、着信側電話番号は自分側電話番号記憶部２２１に、それぞれ保存されているものを使用する。
【００５０】
次に、ステップＳ３０８では、発信側の第１インターネット接続装置１０３Ｓにおいて、インターネット１０５を介してマルチキャストで同報送信されたＩＰパケットを受信して、現在発呼中の電話番号とＩＰパケットのデータ部の着信側電話番号との比較、並びに、発信側電話番号とＩＰパケットのデータ部の発信側電話番号との比較を行い、それぞれ同一であれば、受信したＩＰパケットの発信元アドレスを着信側の第２インターネット接続装置１０３ＲのＩＰアドレスとして認識する。このステップＳ３０８が特許請求の範囲にいう第１受信制御手段の機能であり、第１受信制御ステップに該当する。
【００５１】
具体的には、受信したＩＰパケットのデータ部から発信側電話番号および着信側電話番号を取り出し、それぞれ自分側電話番号記憶部２２１および相手側電話番号記憶部２２３に記憶されている電話番号と比較して、それぞれ一致すれば、受信したＩＰパケットの発信元アドレスを着信側のＩＰアドレスとして、全体制御部２２５の制御の下に相手側ＩＰアドレス記憶部２１９に保存する。
【００５２】
次に、ステップＳ３０９では、第１インターネット接続装置１０３Ｓにおいて、ＩＰパケット処理部２０９により、宛先アドレスとしてステップＳ３０８で得た着信側の第２インターネット接続装置１０３ＲのＩＰアドレス、発信元アドレスとして発信側の第１インターネット接続装置１０３ＳのＩＰアドレス、並びに、ＩＰパケットデータとして発信側電話番号および着信側電話番号をＩＰパケット化して、該ＩＰパケットをｘＤＳＬモデムインタフェース部２０３を介してインターネット１０５に送出する。このステップＳ３０９が特許請求の範囲にいう第２送信制御手段の一部機能であり、第２送信制御ステップの一部に該当する。
【００５３】
ここで、宛先アドレスは相手側ＩＰアドレス記憶部２１９に、発信側ＩＰアドレスは自分側ＩＰアドレス記憶部２１７に、発信側電話番号は自分側電話番号記憶部２２１に、着信側電話番号は相手側電話番号記憶部２２３に、それぞれ保存されているものを使用する。
【００５４】
次に、ステップＳ３１０では、着信側の第２インターネット接続装置１０３Ｒにおいて、インターネット１０５を介して自分宛に送信されてきたＩＰパケットを受信して、ＩＰパケットのデータ部の発信側電話番号および着信側電話番号と、相手側電話番号記憶部２２３および自分側電話番号記憶部２２１に記憶されている電話番号と比較して、それぞれ一致すれば、受信したＩＰパケットの発信元アドレスを発信側の第１インターネット接続装置１０３ＳのＩＰアドレスとして、全体制御部２２５の制御の下に相手側ＩＰアドレス記憶部２１７に保存する。このステップＳ３１０が特許請求の範囲にいう第２受信制御手段の機能であり、第２受信制御ステップに該当する。
【００５５】
これ以降、発信側の第１インターネット接続装置１０３Ｓおよび着信側の第２インターネット接続装置１０３Ｒにおいて、送信するＩＰパケットのデータ部には発信側電話番号および着信側電話番号を入れるようにし、受信した側では、受信したＩＰパケットが通話相手から送られてきたものか否かを、自分側電話番号記憶部２２１および相手側電話番号記憶部２２３との比較により常に確認するようにする。
【００５６】
次に、ステップＳ３１１では、着信側の第２アナログ電話機１０１Ｒにおいてオフフックされると、応答信号が第２インターネット接続装置１０３Ｒに送出される。第２インターネット接続装置１０３Ｒでは、アナログ電話機インタフェース部２０１を介して応答信号を受け取り、全体制御部２２５は第２アナログ電話機１０１Ｒがオフフックされたことを認識する。
【００５７】
次に、ステップＳ３１２では、着信側の第２インターネット接続装置１０３Ｒにおいて、通話相手にＩＰパケットを送るべく、ＩＰパケット処理部２０９により、宛先アドレスとしてステップＳ３１０で得た発信側の第１インターネット接続装置１０３ＳのＩＰアドレス（相手側ＩＰアドレス記憶部２１９にて保存）を、発信元アドレスとして第２インターネット接続装置１０３ＲのＩＰアドレス（自分側ＩＰアドレス記憶部２１７にて保存）を、データ部として予め定められたインターネット通話応答信号データを、それぞれ組み込んでＩＰパケット化し、ｘＤＳＬモデムインタフェース部２０３を介してインターネット１０５に送出する。このステップＳ３１２が特許請求の範囲にいう第３送信制御手段の機能であり、第３送信制御ステップに該当する。
【００５８】
次に、ステップＳ３１３では、発信側の第１インターネット接続装置１０３Ｓにおいて、ｘＤＳＬモデムインタフェース部２０３を介してインターネット１０５から自分宛に送られてきたＩＰパケットを受信し、ＩＰパケット処理部２０９により、着信側の第２インターネット接続装置１０３Ｒからのインターネット通話応答信号データであることを認識する。これにより、発信側と着信側との間のインターネット通話が確立する。
【００５９】
次に、ステップＳ３１４では、着信側の第２インターネット接続装置１０３Ｒからのインターネット通話応答信号データを受けて、発信側の第１インターネット接続装置１０３Ｓは、アナログ電話インタフェース部２０１を介して、第１アナログ電話機１０１Ｓに対して応答信号を送出する。また一方、ステップＳ３１５では、発呼中であった公衆電話回線網１０７に対して切断信号を送出する。
【００６０】
次に、ステップＳ３１６では、着信側の第２インターネット接続装置１０３Ｒにおいて、公衆電話回線網１０７を経て送られてきた発信側の第１インターネット接続装置１０３Ｓからの切断信号を、公衆回線網インタフェース部２０５を介して受け取り、全体制御部２２５でこれを検知する。これにより、発信側から着信側への公衆電話回線網１０７による呼出は取り消される。
【００６１】
次に、図４を参照して、インターネット１０５を介した音声通話について説明する。ステップＳ４０１で、発信側の第１アナログ電話機１０１Ｓから第１インターネット接続装置１０３Ｓに対して音声信号が出力されると、ステップＳ４０２では、第１インターネット接続装置１０３Ｓにおいて、Ａ／Ｄ・Ｄ／Ａ音声処理部２０７により、第１アナログ電話機１０１Ｓからのアナログ音声信号をＡ／Ｄ変換した後に圧縮された音声信号データに変換する。またＩＰパケット処理部２０９では、Ａ／Ｄ・Ｄ／Ａ音声処理部２０７から受け取った圧縮音声信号データをＩＰパケットに組み込んで、ｘＤＳＬモデムインタフェース部２０３を介してインターネット１０５に送出する。なお、ＩＰパケットの宛先アドレスは着信側の第２インターネット接続装置１０３ＲのＩＰアドレスであり、発信元アドレスは発信側の第１インターネット接続装置１０３ＳのＩＰアドレスであり、それぞれ相手側ＩＰアドレス記憶部２１９、自分側ＩＰアドレス記憶部２１７に保存されているものを使用する。
【００６２】
次に、ステップＳ４０３では、着信側の第２インターネット接続装置１０３Ｒにおいて、自分宛のＩＰパケットを受信し、Ａ／Ｄ・Ｄ／Ａ音声処理部２０７により、ＩＰパケット内の圧縮された音声信号データを取り出し、これを伸長してアナログ音声信号にＤ／Ａ変換する。そして、ステップＳ４０４では、このアナログ音声信号が、アナログ電話インタフェース部２０１を介して着信側の第２アナログ電話機１０１Ｒに送出される。
【００６３】
さらに、着信側の第２アナログ電話機１０１Ｒからの音声信号も、ステップＳ４０１〜Ｓ４０４と同様のステップＳ４０６〜Ｓ４０９の手順を経て、発信側の第１アナログ電話機１０１Ｓに送出される。
【００６４】
次に、図５を参照して、インターネット１０５を介した音声通話の切断までの手順について説明する。先ずステップＳ５０１で、発信側の第１アナログ電話機１０１Ｓにおいてオフフックされると、切断信号が第１インターネット接続装置１０３Ｓに対して出力される。ステップＳ５０２では、第１インターネット接続装置１０３Ｓにおいて、アナログ電話インタフェース部２０１を介して受け取った切断信号を全体制御部２２５が認識すると、ＩＰパケット処理部２０９により、インターネット通話終了信号データをＩＰパケットのデータ部に入れて、ｘＤＳＬモデムインタフェース部２０３を介してインターネット１０５に送出する。なお、ＩＰパケットの宛先アドレスは着信側の第２インターネット接続装置１０３ＲのＩＰアドレスであり、発信元アドレスは発信側の第１インターネット接続装置１０３ＳのＩＰアドレスであり、それぞれ相手側ＩＰアドレス記憶部２１９、自分側ＩＰアドレス記憶部２１７に保存されているものを使用する。
【００６５】
次に、ステップＳ５０３では、着信側の第２インターネット接続装置１０３Ｒにおいて、自分宛のＩＰパケットを受信し、ＩＰパケット処理部２０９により、ＩＰパケットのデータ部がインターネット通話終了信号データであると認識する。
【００６６】
そして、インターネット通話終了信号を受信した第２インターネット接続装置１０３Ｒでは、ステップＳ５０４において、全体制御部２２５の制御の下にアナログ電話インタフェース部２０１を介して第２アナログ電話機１０１Ｒに対して話中音を送出する。また、ステップＳ５０５において、ＩＰパケット処理部２０９により、インターネット通話終了応答信号データをＩＰパケットのデータ部に入れて、ｘＤＳＬモデムインタフェース部２０３を介してインターネット１０５に送出する。なお、ＩＰパケットの宛先アドレスは発信側の第１インターネット接続装置１０３ＳのＩＰアドレスであり、発信元アドレスは着信側の第２インターネット接続装置１０３ＲのＩＰアドレスであり、それぞれ相手側ＩＰアドレス記憶部２１９、自分側ＩＰアドレス記憶部２１７に保存されているものを使用する。
【００６７】
次に、ステップＳ５０６では、発信側の第１インターネット接続装置１０３Ｒにおいて、自分宛のＩＰパケットを受信し、ＩＰパケット処理部２０９により、ＩＰパケットのデータ部がインターネット通話終了応答信号データであると認識して、インターネット通話が終了する。
【００６８】
さらに、着信側の第２アナログ電話機１０１Ｒにおいてオンフックされた場合にも、ステップＳ５０１〜Ｓ５０６と同様のステップＳ５１１〜Ｓ５１６の手順を経て、インターネット通話が終了する。
【００６９】
次に、図６を参照して、発信側主導でインターネット１０５を介した音声通話から公衆電話回線網１０７を介した通常通話への切換の手順について説明する。
【００７０】
まず、ステップＳ６１１（Ｓ６１１〜Ｓ６１Ｎ）で、着信側の第２アナログ電話機１０１Ｒから第２インターネット接続装置１０３Ｒに対して音声信号が出力され、ステップＳ６２１（Ｓ６２１〜Ｓ６２Ｎ）では、第２インターネット接続装置１０３Ｒにおいて、アナログ音声信号を圧縮された音声信号データに変換した後、ＩＰパケット化してインターネット１０５に送出される。なお、ＩＰパケット処理部２０９により音声信号をＩＰパケット化する際に、ＩＰパケットは送信する順に番号付けされ、ステップＳ６２１からステップＳ６２Ｎのように連続してインターネット１０５に送出されている。
【００７１】
次に、ステップＳ６３１〜Ｓ６３Ｎでは、発信側の第１インターネット接続装置１０３Ｓにおいて、自分宛のＩＰパケットを受信し、ＩＰパケット内の圧縮された音声信号データを取り出し、これを伸長してアナログ音声信号に変換し、そして、ステップＳ６４１〜Ｓ６４Ｎでは、このアナログ音声信号を、アナログ電話インタフェース部２０１を介して発信側の第１アナログ電話機１０１Ｓに送出する。
【００７２】
ここで、第１インターネット接続装置１０３Ｓでは、ステップＳ６３１において、自分宛のＩＰパケットを受信すると、全体制御部２２５の制御の下にタイマ部２１５をスタートさせている。一方、ＩＰパケット処理部２０９では、第２インターネット接続装置１０３ＲにおいてＩＰパケット化の際に番号付けした番号が受信ＩＰパケットから取り出されるので、インターネット通話品質検査部２１１により、タイマ部２１５が所定時間ｔを計時する間のＩＰパケットの連続する番号の個数を順番に計数し、その数が予め決められた数ｎと比較して、「ＩＰパケット数＜ｎ」の場合には、インターネット通話品質が劣化したと判断する。
【００７３】
全体制御部２２５では、インターネット通話品質劣化の判断に基づき、インターネット１０５を介したインターネット通話を一時中断して、公衆電話回線網１０７を介した通常通話への移行を開始する。一方、「ＩＰパケット数＞ｎ」の場合には、インターネット通話品質は劣化していないので、この場合にはインターネット通話を継続し、タイマ部２１５を再スタートさせる。
【００７４】
公衆電話回線網１０７を介した通常通話への移行は、まずステップＳ６５１において、第１インターネット接続装置１０３Ｓは、相手側電話番号記憶部２２３に保存してある第２アナログ電話機１０１Ｒの電話番号を読み出し、ＤＴＭＦ信号検知・生成部２１３によりＤＴＭＦ信号を生成し、公衆回線網インタフェース２０５を介して公衆電話回線網１０７に対してダイヤルする。
【００７５】
次に、ステップＳ６５２では、公衆電話回線網１０７を経てダイヤル信号が着信側の第２インターネット接続装置１０３Ｒに着呼する。この時、第２インターネット接続装置１０３Ｒでは、公衆電話回線網１０７からの呼出信号を公衆回線網インタフェース部２０５を介して受け取り、ＤＴＭＦ信号検知・生成／モデム信号復調部２１３でモデム信号を復調して発信側の電話番号を認識し、相手側電話番号記憶部２２３に保存してあった発信側の電話番号と比較して、同一である場合には、インターネット１０５を介したインターネット通話から公衆電話回線網１０７を介した通常通話に切り換える。逆に両者が同一でない場合には、公衆回線網インタフェース部２０５を介して話中音を公衆電話回線網１０７に対して送出する。
【００７６】
公衆電話回線網１０７を介した通常通話に切り換える場合、第２インターネット接続装置１０３Ｒは、ステップＳ６５３において、公衆回線網インタフェース部２０５を介して応答信号を公衆電話回線網１０７に対して送出し、これ以降の通話を通常通話として扱う。さらに、ステップＳ６５４では、第１インターネット接続装置１０３Ｓは、公衆回線網インタフェース部２０５を介して公衆電話回線網１０７からの応答信号を受け取り、これ以降の通話を通常通話として扱う。
【００７７】
次に、図７を参照して、発信側主導で公衆電話回線網１０７を介した通常通話からインターネット１０５を介した音声通話への切換の手順について説明する。
【００７８】
図６に示した手順により、発信側主導でインターネット１０５を介した音声通話から公衆電話回線網１０７を介した通常通話への切換が行われると、着信側の第２インターネット接続装置１０３Ｒでは、ステップＳ７１１〜Ｓ７１Ｎのように、予め決められているインターネット通話品質調査信号データをＩＰパケットに入れて、定期的に発信側の第１インターネット接続装置１０３Ｓに送信する。具体的には、インターネット通話品質検査部２１１によりインターネット通話品質調査信号データを生成し、ＩＰパケット処理部２０９によりＩＰパケットのデータ部にこれを入れ、宛先アドレスを第１インターネット接続装置１０３ＳのＩＰアドレスとして、ｘＤＳＬモデムインタフェース部２０３を介してインターネット１０５に送出する。
【００７９】
次に、ステップＳ７２１〜Ｓ７２Ｎでは、発信側の第１インターネット接続装置１０３Ｓにおいて、自分宛のＩＰパケットを受信するが、ステップＳ７２１において、ＩＰパケット内のデータがインターネット通話品質調査信号データであると認識した場合には、全体制御部２２５の制御の下にタイマ部２１５をスタートさせる。
【００８０】
一方、ＩＰパケット処理部２０９では、第２インターネット接続装置１０３ＲにおいてＩＰパケット化の際に番号付けした番号が受信ＩＰパケットから取り出されるので、インターネット通話品質検査部２１１により、タイマ部２１５が所定時間ｔを計時する間のＩＰパケットの連続する番号の個数を順番に計数し、その数が予め決められた数ｎと比較して、「ＩＰパケット数＞ｎ」の場合には、インターネット通話品質が改善したと判断する。
【００８１】
全体制御部２２５では、インターネット通話品質改善の判断に基づき、公衆電話回線網１０７を介した通常通話を切断して、インターネット１０５を介したインターネット通話への移行を開始する。一方、「ＩＰパケット数＜ｎ」の場合には、インターネット通話品質は劣化したままなので、この場合には通常通話を継続し、タイマ部２１５を再スタートさせる。
【００８２】
インターネット１０５を介したインターネット通話への移行は、まずステップＳ７３１において、発信側の第１インターネット接続装置１０３Ｓは、インターネット通話品質検査部２１１によりインターネット通話再開信号データを生成し、ＩＰパケット処理部２０９によりＩＰパケットのデータ部にこれを入れ、宛先アドレスを第２インターネット接続装置１０３ＲのＩＰアドレスとして、ｘＤＳＬモデムインタフェース部２０３を介してインターネット１０５に送出する。
【００８３】
次に、ステップＳ７３２では、着信側の第２インターネット接続装置１０３Ｒにおいて、ｘＤＳＬモデムインタフェース部２０３を介してインターネット１０５から自分宛に送られてきたＩＰパケットを受信し、ＩＰパケット処理部２０９により、発信側の第１インターネット接続装置１０３Ｓからのインターネット通話再開信号データであることを認識すると、インターネット通話への移行を開始する。
【００８４】
また、ステップＳ７３３では、発信側の第１インターネット接続装置１０３Ｓにおいて、アナログ電話インタフェース部２０１を介し公衆電話回線網１０７に対して切断信号を送出する。なお、これ以降の通話はインターネット通話として扱われ、通話相手からの着呼以外は拒否し、アナログ電話インタフェース部２０１を介して話中音を公衆電話回線網１０７に対して送出する。
【００８５】
次に、ステップＳ７３４では、着信側の第２インターネット接続装置１０３Ｒにおいて、公衆電話回線網１０７を経て送られてきた発信側の第１インターネット接続装置１０３Ｓからの切断信号を、公衆回線網インタフェース部２０５を介して受け取り、全体制御部２２５でこれを検知し、これ以降の通話をインターネット通話として扱う。なお、通話相手からの着呼以外は拒否し、アナログ電話インタフェース部２０１を介して話中音を公衆電話回線網１０７に対して送出する。
【００８６】
さらに、ステップＳ７３５では、着信側の第２インターネット接続装置１０３Ｒにおいて、全体制御部２２５が公衆電話回線網１０７からの切断信号を検知すると、公衆回線網インタフェース部２０５を介し公衆電話回線網１０７に対して終話信号を送出し、公衆電話回線網１０７による通常通話を終了する。
【００８７】
次に、図８を参照して、着信側主導でインターネット１０５を介した音声通話から公衆電話回線網１０７を介した通常通話への切換の手順について説明する。
【００８８】
まず、ステップＳ８１１（Ｓ８１１〜Ｓ８１Ｎ）で、発信側の第１アナログ電話機１０１Ｓから第１インターネット接続装置１０３Ｓに対して音声信号が出力され、ステップＳ８２１（Ｓ８２１〜Ｓ８２Ｎ）では、第１インターネット接続装置１０３Ｓにおいて、アナログ音声信号を圧縮された音声信号データに変換した後、ＩＰパケット化してインターネット１０５に送出される。なお、ＩＰパケット処理部２０９により音声信号をＩＰパケット化する際に、ＩＰパケットは送信する順に番号付けされ、ステップＳ８２１からステップＳ８２Ｎのように連続してインターネット１０５に送出されている。
【００８９】
次に、ステップＳ８３１〜Ｓ８３Ｎでは、着信側の第２インターネット接続装置１０３Ｒにおいて、自分宛のＩＰパケットを受信し、ＩＰパケット内の圧縮された音声信号データを取り出し、これを伸長してアナログ音声信号に変換し、そして、ステップＳ８４１〜Ｓ８４Ｎでは、このアナログ音声信号を、アナログ電話インタフェース部２０１を介して着信側の第２アナログ電話機１０１Ｒに送出する。
【００９０】
ここで、第２インターネット接続装置１０３Ｒでは、ステップＳ８３１において、自分宛のＩＰパケットを受信すると、全体制御部２２５の制御の下にタイマ部２１５をスタートさせている。一方、ＩＰパケット処理部２０９では、第１インターネット接続装置１０３ＳにおいてＩＰパケット化の際に番号付けした番号が受信ＩＰパケットから取り出されるので、インターネット通話品質検査部２１１により、タイマ部２１５が所定時間ｔを計時する間のＩＰパケットの連続する番号の個数を順番に計数し、その数が予め決められた数ｎと比較して、「ＩＰパケット数＜ｎ」の場合には、インターネット通話品質が劣化したと判断する。
【００９１】
全体制御部２２５では、インターネット通話品質劣化の判断に基づき、インターネット１０５を介したインターネット通話を一時中断して、公衆電話回線網１０７を介した通常通話への移行を開始する。一方、「ＩＰパケット数＞ｎ」の場合には、インターネット通話品質は劣化していないので、この場合にはインターネット通話を継続し、タイマ部２１５を再スタートさせる。
【００９２】
公衆電話回線網１０７を介した通常通話への移行は、まずステップＳ８５１において、第２インターネット接続装置１０３Ｒは、インターネット通話品質検査部２１１によりインターネット通話一時中断信号データを生成し、ＩＰパケット処理部２０９によりＩＰパケットのデータ部にこれを入れ、宛先アドレスを第１インターネット接続装置１０３ＳのＩＰアドレスとして、ｘＤＳＬモデムインタフェース部２０３を介してインターネット１０５に送出する。
【００９３】
次に、ステップＳ８５２では、発信側の第１インターネット接続装置１０３Ｓにおいて、ｘＤＳＬモデムインタフェース部２０３を介してインターネット１０５から自分宛に送られてきたＩＰパケットを受信し、ＩＰパケット処理部２０９により、着信側の第２インターネット接続装置１０３Ｒからのインターネット通話一時中断信号データであることを認識すると、通常通話への移行を開始する。
【００９４】
次に、ステップＳ８５３では、発信側の第１インターネット接続装置１０３Ｓにおいて、相手側電話番号記憶部２２３に保存してある第２アナログ電話機１０１Ｒの電話番号を読み出し、ＤＴＭＦ信号検知・生成／モデム信号復調部２１３によりＤＴＭＦ信号を生成し、公衆回線網インタフェース２０５を介して公衆電話回線網１０７に対してダイヤルする。
【００９５】
次に、ステップＳ８５４では、公衆電話回線網１０７を経て呼出信号が着信側の第２インターネット接続装置１０３Ｒに着呼する。この時、第２インターネット接続装置１０３Ｒでは、公衆電話回線網１０７からのモデム信号を公衆回線網インタフェース部２０５を介して受け取り、ＤＴＭＦ信号検知・生成／モデム信号復調部２１３でモデム信号を復調して発信側の電話番号を認識し、相手側電話番号記憶部２２３に保存してあった発信側の電話番号と比較して、同一である場合には、インターネット１０５を介したインターネット通話から公衆電話回線網１０７を介した通常通話に切り換える。逆に両者が同一でない場合には、公衆回線網インタフェース部２０５を介して話中音を公衆電話回線網１０７に対して送出する。
【００９６】
公衆電話回線網１０７を介した通常通話に切り換える場合、第２インターネット接続装置１０３Ｒは、ステップＳ８５５において、公衆回線網インタフェース部２０５を介して応答信号を公衆電話回線網１０７に対して送出し、これ以降の通話を通常通話として扱う。さらに、ステップＳ８５６では、第１インターネット接続装置１０３Ｓは、公衆回線網インタフェース部２０５を介して公衆電話回線網１０７からの応答信号を受け取り、これ以降の通話を通常通話として扱う。
【００９７】
さらに、図９を参照して、着信側主導で公衆電話回線網１０７を介した通常通話からインターネット１０５を介した音声通話への切換の手順について説明する。
【００９８】
図８に示した手順により、着信側主導でインターネット１０５を介した音声通話から公衆電話回線網１０７を介した通常通話への切換が行われると、発信側の第１インターネット接続装置１０３Ｓでは、ステップＳ９１１〜Ｓ９１Ｎのように、予め決められているインターネット通話品質調査信号データをＩＰパケットに入れて、定期的に着信側の第２インターネット接続装置１０３Ｒに送信する。具体的には、インターネット通話品質検査部２１１によりインターネット通話品質調査信号データを生成し、ＩＰパケット処理部２０９によりＩＰパケットのデータ部にこれを入れ、宛先アドレスを第２インターネット接続装置１０３ＲのＩＰアドレスとして、ｘＤＳＬモデムインタフェース部２０３を介してインターネット１０５に送出する。
【００９９】
次に、ステップＳ９２１〜Ｓ９２Ｎでは、着信側の第２インターネット接続装置１０３Ｒにおいて、自分宛のＩＰパケットを受信するが、ステップＳ９２１において、ＩＰパケット内のデータがインターネット通話品質調査信号データであると認識した場合には、全体制御部２２５の制御の下にタイマ部２１５をスタートさせる。
【０１００】
一方、ＩＰパケット処理部２０９では、第１インターネット接続装置１０３ＳにおいてＩＰパケット化の際に番号付けした番号が受信ＩＰパケットから取り出されるので、インターネット通話品質検査部２１１により、タイマ部２１５が所定時間ｔを計時する間のＩＰパケットの連続する番号の個数を順番に計数し、その数が予め決められた数ｎと比較して、「ＩＰパケット数＞ｎ」の場合には、インターネット通話品質が改善したと判断する。
【０１０１】
全体制御部２２５では、インターネット通話品質改善の判断に基づき、公衆電話回線網１０７を介した通常通話を切断して、インターネット１０５を介したインターネット通話への移行を開始する。一方、「ＩＰパケット数＜ｎ」の場合には、インターネット通話品質は劣化したままなので、この場合には通常通話を継続し、タイマ部２１５を再スタートさせる。
【０１０２】
インターネット１０５を介したインターネット通話への移行は、まずステップＳ９３１において、着信側の第２インターネット接続装置１０３Ｒは、インターネット通話品質検査部２１１によりインターネット通話再開信号データを生成し、ＩＰパケット処理部２０９によりＩＰパケットのデータ部にこれを入れ、宛先アドレスを第１インターネット接続装置１０３ＳのＩＰアドレスとして、ｘＤＳＬモデムインタフェース部２０３を介してインターネット１０５に送出する。
【０１０３】
次に、ステップＳ９３２では、発信側の第１インターネット接続装置１０３Ｓにおいて、ｘＤＳＬモデムインタフェース部２０３を介してインターネット１０５から自分宛に送られてきたＩＰパケットを受信し、ＩＰパケット処理部２０９により、着信側の第２インターネット接続装置１０３Ｒからのインターネット通話再開信号データであることを認識すると、インターネット通話への移行を開始する。
【０１０４】
次に、ステップＳ９３３では、発信側の第１インターネット接続装置１０３Ｓにおいて、公衆回線網インタフェース部２０５を介し公衆電話回線網１０７に対して切断信号を送出する。なお、これ以降の通話はインターネット通話として扱われ、通話相手からの着呼以外は拒否し、公衆回線網インタフェース部２０５を介して話中音を公衆電話回線網１０７に対して送出する。
【０１０５】
次に、ステップＳ９３４では、着信側の第２インターネット接続装置１０３Ｒにおいて、公衆電話回線網１０７を経て送られてきた発信側の第１インターネット接続装置１０３Ｓからの切断信号を、公衆回線網インタフェース部２０５を介して受け取り、全体制御部２２５でこれを検知し、これ以降の通話をインターネット通話として扱う。なお、通話相手からの着呼以外は拒否し、公衆回線網インタフェース部２０５を介して話中音を公衆電話回線網１０７に対して送出する。
【０１０６】
さらに、ステップＳ９３５では、着信側の第２インターネット接続装置１０３Ｒにおいて、全体制御部２２５が公衆電話回線網１０７からの切断信号を検知すると、公衆回線網インタフェース部２０５を介し公衆電話回線網１０７に対して終話信号を送出し、公衆電話回線網１０７による通常通話を終了する。
【０１０７】
以上説明したように、本実施形態のネットワーク接続装置１０３Ｓ，１０３Ｒ、通信システムおよび通信方法では、第１ネットワーク接続装置１０３Ｓにおいて、自分側電話番号記憶部２２１に（自分側電話番号記憶ステップにより）付属の第１アナログ電話機１０１Ｓの電話番号を記憶しておき、また、公衆電話回線網１０７を利用した第１アナログ電話機１０１Ｓによるダイヤル発呼時には、相手側電話番号記憶部２２３に（相手側電話番号記憶ステップにより）第２アナログ電話機１０１Ｒの電話番号を保存する。一方、第２ネットワーク接続装置１０３Ｒでも、自分側電話番号記憶部２２１に（自分側電話番号記憶ステップにより）第２アナログ電話機１０１Ｒの電話番号を記憶しておき、第１ネットワーク接続装置１０３Ｓ（第１アナログ電話機１０１Ｓ）からの着呼を検出した時には、相手側電話番号記憶部２２３に（相手側電話番号記憶ステップにより）第１アナログ電話機１０１Ｓの電話番号を保存し、また、全体制御部２２５の制御の下にＩＰパケット処理部２０９（同報送信制御ステップ）により、宛先アドレスとして所定のマルチキャストアドレスと、発信元アドレスとして第２ネットワーク接続装置１０３ＲのＩＰアドレスと、データとして自分側電話番号記憶部２２１および相手側電話番号記憶部２２３に保存された電話番号と、を含むＩＰパケットをｘＤＳＬモデムインタフェース部２０３を介してインターネット１０５に対して送信する。
【０１０８】
次に、第１ネットワーク接続装置１０３Ｓでは、公衆電話回線網１０７を利用したダイヤル発呼後に、ｘＤＳＬモデムインタフェース部２０３を介して（第１受信制御ステップにより）、第２ネットワーク接続装置１０３Ｒからマルチキャスト送信されたＩＰパケットを受信して、該ＩＰパケット内の電話番号と自分側電話番号記憶部２２１および相手側電話番号記憶部２２３に保存された電話番号とをそれぞれ比較し、該比較において両者がそれぞれ一致したときに、相手側ＩＰアドレス記憶部２１９に（相手側ネットワークアドレス記憶ステップにより）ＩＰパケット内の発信元アドレスを保存する。また、該比較において両者が一致したときには、全体制御部２２５の制御の下にＩＰパケット処理部２０９（第２送信制御ステップ）により、宛先アドレスとして相手側ＩＰアドレス記憶部２１９に保存されたアドレスと、発信元アドレスとして第１ネットワーク接続装置１０３ＳのＩＰアドレスと、データとして自分側電話番号記憶部２２１および相手側電話番号記憶部２２３に保存された電話番号と、を含むＩＰパケットをインターネット１０５に対してｘＤＳＬモデムインタフェース部２０３を介して送信すると共に、発呼中である公衆電話回線網１０７を解放する。
【０１０９】
次に、第２ネットワーク接続装置１０３Ｒではマルチキャスト送信した後に、第１ネットワーク接続装置１０３ＳではＩＰパケット送信した後に、それぞれ、全体制御部２２５の制御の下にＩＰパケット処理部２０９（第２受信制御ステップ）により、相手のネットワーク接続装置から送信されるＩＰパケットを受信して、該ＩＰパケット内の電話番号と自分側電話番号記憶部２２１および相手側電話番号記憶部２２３に保存された電話番号とをそれぞれ比較し、該比較において両者がそれぞれ一致したときに、全体制御部２２５の制御の下にＩＰパケット処理部２０９（第３送信制御ステップ）により、宛先アドレスとして相手側ＩＰアドレス記憶部２１９に保存されたアドレスと、発信元アドレスとして第２ネットワーク接続装置１０３Ｒまたは第１ネットワーク接続装置１０３ＳのＩＰアドレスと、データとして自分側電話番号記憶部２２１および相手側電話番号記憶部２２３に保存された電話番号並びに音声データと、を含むＩＰパケットをインターネットに対して送信する。なお、第２ネットワーク接続装置１０３Ｒでは、比較において両者が一致したときには、相手側ＩＰアドレス記憶部２１９に（相手側ネットワークアドレス記憶ステップにより）ＩＰパケット内の発信元アドレスを保存しておく。
【０１１０】
以降は、（第２受信制御ステップにより）受信したＩＰパケット内の電話番号を確認しながら、（第３送信制御ステップにより）ＩＰパケットを送信することにより、インターネット１０５を介した音声通話が行われることになる。このように、ＴＣＰ／ＩＰプロトコルを用いたｘＤＳＬ通信によりＩＰパケットを送受信してインターネット１０５を介した音声通話を行い、より通信コストの低いインターネット電話システムでの通話を行うことができる。また、より簡単な手段構成で低コストのインターネット電話システムの構築が可能となる。
【０１１１】
また、本実施形態では、インターネット１０５を利用した音声通話を行っている時に、インターネット通話品質検査部２１１（第１切替制御ステップ）により、一定時間内に受信したＩＰパケットの連続した番号の個数を計数して、該計数値が所定値を下回るときに、公衆電話回線網１０７を利用した音声通話に切り替える。
【０１１２】
このように、インターネット１０５を利用した音声通話において、音声品質が劣化したことを一定時間内の受信ＩＰパケット数により判断し、音声品質が劣化したときには、自動的に公衆電話回線網１０７を利用した音声通話に切り替えるので、状況によって会話が途切れたり、欠落するなど、音声品質が低下した場合でも、公衆電話回線網１０７を利用した通常の音声通話に切り替えて、通話時の音声品質を維持することができる。
【０１１３】
また、インターネット１０５を利用した音声通話から公衆電話回線網１０７を利用した音声通話に切り替えた後に、インターネット通話品質検査部２１１およびＩＰパケット処理部２０９（第４送信制御ステップ）により、宛先アドレスとして相手側ＩＰアドレス記憶部２１９に保存されたアドレスと、発信元アドレスとして第１ネットワーク接続装置１０３Ｓまたは第２ネットワーク接続装置１０３ＲのＩＰアドレスと、データとして送信順にふられた番号と、を含むＩＰパケットをインターネット１０５に対して定期的に送信するようにし、第２ネットワーク接続装置１０３Ｒまたは第１ネットワーク接続装置１０３Ｓでは、インターネット通話品質検査部２１１およびＩＰパケット処理部２０９（第２切替制御ステップ）により、相手側のネットワーク接続装置より定期的に送信されるＩＰパケットを受信し、一定時間内における該ＩＰパケットの連続した番号の個数を計数して、該計数値が所定値を上回るときに、インターネット１０５を利用した音声通話に切り替える。
【０１１４】
このように、公衆電話回線網１０７を利用した音声通話に切り替えた後にも定期的に品質検査用のデータブロックを送受信して、インターネット１０５における音声品質が改善したことを一定時間内の受信ＩＰパケット数により判断し、音声品質が改善したときには、自動的にインターネット１０５を利用した音声通話に切り替えるので、通話時の音声品質を維持しつつ、より通信コストの低いインターネット１０５を利用した音声通話を優先的に行うことができる。
【０１１５】
【発明の効果】
以上説明したように、本発明のネットワーク接続装置、通信システム、通信方法、通信プログラムおよび記録媒体によれば、（第１）ネットワーク接続装置において、公衆回線網を利用した付属の（第１）電話機によるダイヤル発呼時には、相手側電話番号記憶手段に（相手側電話番号記憶ステップにより）相手側（第２）電話機の電話番号を保存し、一方、他の（第２）ネットワーク接続装置では、（第１）ネットワーク接続装置に付属の（第１）電話機からの着呼を検出した時には、相手側電話番号記憶手段に（相手側電話番号記憶ステップにより）（第１）電話機の電話番号を保存し、また、同報送信制御手段（同報送信制御ステップ）により、宛先アドレスとして所定の同報通信アドレスと、発信元アドレスとして当該（第２）ネットワーク接続装置のネットワークアドレスと、データとして自分側電話番号記憶手段および前記相手側電話番号記憶手段に保存された電話番号と、を含む第１データブロックを第２のネットワークに対して同報送信する。
【０１１６】
次に、（第１）ネットワーク接続装置では、公衆回線網を利用したダイヤル発呼後に、第１受信制御手段（第１受信制御ステップ）により、他の（第２）ネットワーク接続装置から同報送信される第１データブロックを受信して、該第１データブロック内の電話番号と自分側電話番号記憶手段および相手側電話番号記憶手段に保存された電話番号とをそれぞれ比較し、該比較において両者がそれぞれ一致したときに、相手側ネットワークアドレス記憶手段に（相手側ネットワークアドレス記憶ステップにより）第１データブロック内の発信元アドレスを保存し、第２送信制御手段（第２送信制御ステップ）により、宛先アドレスとして相手側ネットワークアドレス記憶手段に保存されたアドレスと、発信元アドレスとして当該（第１）ネットワーク接続装置のネットワークアドレスと、データとして自分側電話番号記憶手段および相手側電話番号記憶手段に保存された電話番号と、を含む第２データブロックを第２のネットワークに対して送信すると共に、発呼中である公衆回線網を解放し、以降は、第２受信制御手段（第２受信制御ステップ）により受信したデータブロック内の電話番号を確認しながら、第３送信制御手段（第３送信制御ステップ）によりデータブロックを送信する。このようにして、第２のネットワークによる音声通話を行うこととしたので、通信コストをより低減できるインターネット電話システムを構築することができ、また、より簡単な手段構成で低コストのインターネット電話システムの構築が可能となる。
【０１１７】
また、本発明によれば、第２のネットワークを利用した音声通話において、音声品質が劣化したことを一定時間内の受信データブロック数により判断し、音声品質が劣化したときには、自動的に公衆回線網を利用した音声通話に切り替えることとしたので、音声品質が低下した場合でも、公衆回線網を利用した通常の音声通話に切り替えて、通話時の音声品質を維持することができる。
【０１１８】
さらに、公衆回線網を利用した音声通話に切り替えた後にも定期的に品質検査用のデータブロックを送受信して、第２のネットワークにおける音声品質が改善したことを一定時間内の受信データブロック数により判断し、音声品質が改善したときには、自動的に第２のネットワークを利用した音声通話に切り替えることとしたので、通話時の音声品質を維持しつつ、より通信コストの低い第２のネットワークを利用した音声通話を優先的に行うことができる。
【図面の簡単な説明】
【図１】本発明の一実施形態に係る通信システムの構成図である。
【図２】本発明の一実施形態に係るネットワーク接続装置の構成図である。
【図３】インターネットを介した通話の確立までを説明する説明図である。
【図４】インターネットを介した音声通話を説明する説明図である。
【図５】インターネットを介した音声通話の切断までを説明する説明図である。
【図６】発信側主導でインターネットを介した音声通話から公衆電話回線網を介した通常通話への切換を説明する説明図である。
【図７】発信側主導で公衆電話回線網を介した通常通話からインターネットを介した音声通話への切換を説明する説明図である。
【図８】着信側主導でインターネットを介した音声通話から公衆電話回線網を介した通常通話への切換を説明する説明図である。
【図９】着信側主導で公衆電話回線網を介した通常通話からインターネットを介した音声通話への切換を説明する説明図である。
【符号の説明】
１０１Ｓ    第１アナログ電話機
１０１Ｒ    第２アナログ電話機
１０３Ｓ    第１インターネット接続装置
１０３Ｒ    第２インターネット接続装置
１０５    インターネット（第２のネットワーク）
１０７    公衆電話回線網
２０１    アナログ電話インタフェース部
２０３    ｘＤＳＬモデムインタフェース部
２０５    公衆回線網インタフェース部
２０７    Ａ／Ｄ・Ｄ／Ａ音声処理部
２０９    ＩＰパケット処理部
２１１    インターネット通話品質検査部
２１３    ＤＴＭＦ信号検知・生成／モデム信号復調部
２１５    タイマ部
２１７    自分側ＩＰアドレス記憶部
２１９    相手側ＩＰアドレス記憶部
２２１    自分側電話番号記憶部
２２３    相手側電話番号記憶部
２２５    全体制御部
【図１】
0003642515.tif 000002
【図２】
0003642515.tif 000003
【図３】
0003642515.tif 000004
【図４】
0003642515.tif 000005
【図５】
0003642515.tif 000006
【図６】
0003642515.tif 000007
【図７】
0003642515.tif 000008
【図８】
0003642515.tif 000009
【図９】
0003642515.tif 000010